(57)【要約】【課題】前面板の裏側等に設置された無線通信部を備えた冷蔵庫において、無線通信部の動作が確実に行える冷蔵庫を提供する。【解決手段】実施の形態の冷蔵庫１は、冷蔵庫本体１１の前面開口部に取り付けられた両開き式の左右の扉本体２１，２２と、扉本体の前面に設置された非導電性の前面板２１Ｂ，２２Ｂと、扉本体における前面板の裏側等に設置され、情報の無線通信を行う無線通信部７０とを備える。【選択図】図１
2020173092.tif 000002
【特許請求の範囲】
【請求項１】
冷蔵庫本体の前面開口部に取り付けられた両開き式の左右の扉本体と、
前記扉本体の前面に設置された非導電性の前面板と、
前記左右の扉本体間のシール状態を保持する回転仕切り体と、
前記回転仕切り体に設けられた結露防止ヒータと、
前記結露防止ヒータに給電する第１のリード線と、
前記扉本体における前記前面板の裏側に、又は前記冷蔵庫本体の貯蔵室内に設置され、情報の無線通信を行う無線通信部と、
前記無線通信部に給電する第２のリード線と、を備え、
前記扉本体内において前記第１のリード線と前記第２のリード線とが重ならない位置に配置するようにし、
前記無線通信部を前記扉本体の回動軸側に配置した
ことを特徴とする冷蔵庫。
【請求項２】
前記第１のリード線と前記第２のリード線とは、互いに異なる前記扉本体に配置されていることを特徴とする請求項１に記載の冷蔵庫。
【請求項３】
前記第１のリード線と前記第２のリード線は、前記左右の扉本体を開閉するように取付けたそれぞれの回動部を介して引き出されていることを特徴とする請求項２に記載の冷蔵庫。
【発明の詳細な説明】
【技術分野】
【０００１】
実施の形態は、扉前面に前面板を備えた冷蔵庫に関する。
【背景技術】
【０００２】
近年、扉前面に飾りのために着色したガラス板や透明プラスチック板の前面板を備えた冷蔵庫が出現している。このような冷蔵庫では、情報の無線通信を行う無線通信部を前面板の裏側等に配置している。
【０００３】
このような冷蔵庫では、結露を防止するための結露防止ヒータから無線通信部が悪影響を受け得る問題点があった。
【先行技術文献】
【特許文献】
【０００４】
【特許文献１】特開２００４−１９８０５８号公報
【発明の概要】
【発明が解決しようとする課題】
【０００５】
本発明は、上記従来技術の課題に鑑みてなされたもので、前面板の裏側等に設置された無線通信部を備えた冷蔵庫において、無線通信部の動作が確実に行える冷蔵庫を提供することを目的とする。
【課題を解決するための手段】
【０００６】
実施の形態の冷蔵庫は、冷蔵庫本体の前面開口部に取り付けられた両開き式の左右の扉本体と、前記扉本体の前面に設置された非導電性の前面板と、前記左右の扉本体間のシール状態を保持する回転仕切り体と、前記回転仕切り体に設けられた結露防止ヒータと、前記結露防止ヒータに給電する第１のリード線と、前記扉本体における前記前面板の裏側に、又は前記冷蔵庫本体の貯蔵室内に設置され、情報の無線通信を行う無線通信部と、前記無線通信部に給電する第２のリード線と、を備え、前記扉本体内において前記第１のリード線と前記第２のリード線とが重ならない位置に配置するようにし、前記無線通信部を前記扉本体の回動軸側に配置したことを特徴とするものである。
【図面の簡単な説明】
【０００７】
【図１】実施の形態の冷蔵庫の正面図。
【図２】実施の形態の冷蔵庫の扉開き状態の斜視図。
【図３】実施の形態の冷蔵庫の冷蔵室部分の拡大斜視図。
【図４】実施の形態の冷蔵庫における右前面板の裏面からの斜視図。
【発明を実施するための形態】
【０００８】
以下、実施の形態を図に基づいて詳説する。
【０００９】
図１に示す実施の形態の冷蔵庫１は、冷蔵庫本体であるキャビネット１１を備えている。図２に示すように、キャビネット１１は、上段から冷蔵室１２、野菜室１３、庫内設定温度を切り換えることができる切替室１４、冷凍室１５とより構成されている。また切替室１４の左側には製氷室１６が設けられている。
【００１０】
図２、図３に示すように、冷蔵室１２の前面開口部を覆うために、左右一対の扉２１，２２がそれぞれ左端部、右端部の上下をヒンジ部３１，３２にて観音開き式に開閉するように取り付けられている。また、野菜室１３、切替室１４、冷凍室１５、製氷室１６には引き出し式の扉２３，２４，２５，２６それぞれが設けられている。尚、野菜室１３の背面には、図示していないが、冷蔵室１２と野菜室１３とを冷却するための冷蔵用蒸発器が配され、切替室１４及び冷凍室１５の背面には、同じく図示していないが、切替室１４、冷凍室１５、製氷室１６を冷却するための冷凍用蒸発器が配されている。さらに、野菜室１３の背面には、この冷蔵庫１を制御するためのマイクロコンピュータよりなる制御部も配されている。
【００１１】
左右一対の扉２１，２２は観音開き式であり、向かって左側の扉（以下、左扉という）２１は、左側部にヒンジ部（以下、左ヒンジ部という）３１を有し、同右側の扉（以下、右扉という）２２は、右側部にヒンジ部（以下、右ヒンジ部という）３２を有している。尚、図１において左右のヒンジ部３１，３２にはキャップ３３，３４それぞれが被された状態である。
【００１２】
図３に示すように、左扉２１の左ヒンジ部３１は、ヒンジ軸とヒンジ受け部とより成り、また、左扉２１の左端部の上面及び下面にそれぞれ軸孔が開口している。上下一対の板状のヒンジ受け部がキャビネット１１の天井面の左前端部と、冷蔵室１２の下端の左端部にそれぞれ設けられ、これら上下一対のヒンジ受け部からそれぞれヒンジ軸が突出している。そして、これら上下一対のヒンジ軸に左扉２１の軸孔が係合して、左扉２１が回動自在となっている。また、左扉２１の左端部の上部にある軸孔に係合しているヒンジ軸は円筒状をなし、軸孔とヒンジ軸の内部に、後から説明するリード線４１が挿通され、ヒンジ受け部の上部にある開口部３１ａから引き出されている。右扉２２の右ヒンジ部３２も同様の構成であり、リード線４２とアース線４３が開口部３２ａから引き出されている。そして、これらのリード線４１，４２は左右のヒンジ部３１，３２の部分でキャビネット１１側のリード線４４，４６それぞれに接続されている。これらのキャビネット１１側のリード線４４，４６は、キャビネット１１の内側を這わせて制御部に接続されている。一方、アース線４３はキャビネット１１のアース線４７に接続され、このアース線４７の端部がキャビネット１１の導体部に接続され、後述する操作入力部５１の浮遊電荷をキャビネット１１側にアースする。
【００１３】
左扉２１、右扉２２は共に、前面に開口する内板２１Ａ，２２Ａの開口部に着色透明のガラス製の前面板２１Ｂ，２２Ｂを取り付け、かつ内板２１Ａ，２２Ａの内部にウレタンのような非導電性の断熱材を充填した構造である。前面板２１Ｂ，２２Ｂの着色度は、外光を受けた状態で外から前面板２１Ｂ，２２Ｂの裏側の断熱材等の充填物が見えない濃さである。しかも、後述する操作ボタン名、冷却機能名、冷却強度等を透過表示するＬＥＤ表示灯、温度値等の変化する数値を透過表示する７セグメントＬＥＤ表示装置の点灯状態で光が透過して表側から見える濃さでもある。
【００１４】
左扉２１の右端部、つまり、閉状態で右扉２２の左端部に近接して対向する部分には、扉閉状態で、右扉２２とのシール状態を保持するための回転仕切り体６１が設けられている。この回転仕切り体６１の内部には、結露を防止するための結露防止ヒータ６２が内蔵されている。この結露防止ヒータ６２に対する給電用のリード線４１は左扉２１の前面板２１Ａの裏側を通して左ヒンジ部３１の開口部３１ａから上に引き出し、キャビネット１１側に設置されている本体側リード線４４にコネクタ４５にて接続されている。
【００１５】
また左扉２１の前面板２１Ｂの裏面側の一部あるいは全部には導体シート６３が貼り付けてある。これは、前面板２１Ｂがガラス製、したがって非導電性であるために、表側からマグネットシートを吸着させることができないためである。導体シート６３の取着により、マグネットシートを前面板２２Ｂの表側から吸着させることができるようになる。これにより、メモ書き等を前面板２１Ｂの表に貼り付けておくことができるようになる。
【００１６】
尚、マグネットの吸着が可能なように、左扉２１については、内板２１Ａ内に導電性を有する断熱材（真空断熱材をアルミニウムのような導電性金属膜で被覆した断熱材で少なくとも表面には導電性がある断熱材）を充填し、前面板２１Ｂで前面を覆った構造にすることにより、導体シート６３に代用することができる。
【００１７】
右扉２２の前面板２２Ｂの裏側には、前面板２２Ｂの表からのタッチ操作により冷蔵庫を操作するための静電容量式の操作入力部５１が取り付けられている。この操作入力部５１には、冷蔵庫周囲の環境状態を検出ための赤外線受光部５２、ホームボタン５３、このホームボタン５３へのタッチを検知し、操作ボタン名、冷却機能名、冷却強度等を透過表示するＬＥＤ表示灯５４、温度値等の変化する数値を透過表示する７セグメントＬＥＤ表示装置５５が設けられている。そして、操作入力部５１の赤外線受光部５２、ＬＥＤ表示灯５４、７セグメントＬＥＤ表示装置５５等への給電、またタッチ位置の検出信号や赤外線受光部５２の受光強度の信号等の取出しのためのリード線４２、アース線４３が操作入力部５１に接続されている。これらのリード線４２、アース線４３は右ヒンジ部３２の部分でキャビネット１１側のリード線４６、アース線４７とコネクタ４８にて接続されている。
【００１８】
また、右扉２２の適切な箇所、この実施の形態では右扉２２の右下の部分で、前面板２２Ｂの裏側の位置に、情報の無線送受信を行うための無線通信部７０が設置されている。この無線通信部７０のリード線７１は制御操作部５１のリード線４２と一緒にして引き出される。
【００１９】
このように、結露防止ヒータ６２へのリード線４１と操作入力部５１へのリード線４２とを左右別々のヒンジ部３１，３２に通す構成にすることにより、リード線４１を通じて結露防止ヒータ６２へ通電する際に発生する電磁波が操作入力部５１に繋がれたリード線４２にノイズを載せるという悪影響を与えることを防止でき、制御動作の信頼性を高くすることができる。
【００２０】
ＬＥＤ表示灯５４の配光特性は直前方に強く出るために、透過表示の光は中央部で強く、周囲では弱くなり明るさが不均一になる。そこで、図４に示すように、透過光の強さを均一に均す目的で、ＬＥＤ表示灯５４の設置位置前方に対応する前面板２２Ｂの該当部位５４−１は、その周囲の部分５４−２よりも着色度を強く（濃く）している。
【００２１】
一方、７セグメントＬＥＤ表示装置５５は、各セグメントのＬＥＤの発光量が小さいため透過光が弱くなる。そこでこれを避け、表示が表側から明るく見えるようにするために、７セグメントＬＥＤ表示装置５５の設置位置前方に対応する前面板２２Ｂの該当部位５５−１の着色度を他の部分よりも低く（薄く）している。
【００２２】
さらに、前面板２２Ｂにおける諸情報、文字、例えば「冷蔵」、「冷凍」、「製氷」、「一気冷凍」等の操作ボタン名や、制御動作名を透過表示させる表示窓５６についても、他の部分よりも着色度を低くし、文字が前面板２２Ｂの表側から明瞭に表示されるようにしている。
【００２３】
尚、本実施の形態の冷蔵庫の冷却制御のための制御部は、一般的なものであり、特に限定されるものではないが、例えば、圧縮機、操作パネル、結露防止ヒータ、製氷室内部の製氷装置、冷蔵室ファン、冷凍室ファン、除霜ヒータがこの制御部に接続され、制御される。
【００２４】
（変更例）
上記実施の形態では、左扉２１に結露防止ヒータ、右扉２２に操作入力部を設けたが、この組合せは逆であってもよい。また、ＬＥＤ表示灯、７セグメントＬＥＤ表示装置は必ずしも共に装備する必要があるわけではなく、選択的に装備させることもできる。
【００２５】
また、最もシンプルな扉の構造としては、冷蔵室の前方に左開き若しくは右開きの片開き１枚の扉を配置し、この扉の構造として、断熱性の扉本体の前面に着色透明の非導電性の前面板を取り付け、当該前面板のタッチ操作による操作入力を受け付ける静電容量式の操作入力部を扉本体内に設置したものとすることができる。
【００２６】
そして、このような冷蔵庫の場合に、操作入力部の浮遊電荷をアースするためのアース線を操作入力部から引き出し、冷蔵庫本体側の導電性部材に接続することにより、静電容量式のタッチ操作を安定して行えるようになる。
【００２７】
また、別の変更例として、扉本体は、左右それぞれの端部のヒンジ部にて観音開き式に開閉する左扉本体、右扉本体の２枚で成り、左右の扉本体のうちの一方には、着色透明で非導電性の前面板と当該前面板の表側からのタッチ操作による操作入力を受け付ける静電容量式の操作入力部を設置し、左右の扉本体のうちの他方には、着色透明でかつ導電部を備えた前面板を設置し、かつ、当該前面板の裏面には操作入力部を設置しない構成にし、上記の実施の形態のものよりも単純な構成にすることもできる。これにより、導電部を備えた前面板の方にはマグネットシートを吸着させ、メモを前面板の表に貼り付けておくことができるようになり、利便性が良くなる。
【００２８】
さらに、無線通信部７０は扉本体内ではなく、キャビネット１１内の貯蔵空間の適所に設置し、扉本体を通して情報の無線通信ができるようにすることもできる。そしてその場合には、扉本体の少なくとも無線通信部７０に対向する位置には通信電波を吸収する導電性を有する断熱材を設置せず、扉本体の前面板を通した無線通信を阻害しない場所には導電性を有する断熱材を設置する構成にすることができる。また観音開き式の左右の扉本体２１，２２について、無線通信部７０を操作入力部５１の設置されていない側の扉本体若しくは貯蔵室に設置することもでき、その場合には、扉本体の少なくとも無線通信部７０に対向する位置には通信電波を吸収する導電性を有する断熱材を設置せず、扉本体の前面板を通した無線通信を阻害しない場所には導電性を有する断熱材を設置する構成にすることができる。
【符号の説明】
【００２９】
１  冷蔵庫
１１  キャビネット
１２  冷蔵室
２１  左扉
２１Ａ  内板
２１Ｂ  前面板
２２  右扉
２２Ａ  内板
２２Ｂ  前面板
３１  左ヒンジ部
３２  右ヒンジ部
３１ａ  開口部
３２ａ  開口部
４１，４２  リード線
４３  アース線
５１  操作入力部
５２  赤外線受光部
５４  ＬＥＤ表示灯
５５  ７セグメントＬＥＤ表示装置
６１  回転仕切り体
６２  結露防止ヒータ
７０  無線通信部
【図１】
2020173092.tif 000003
【図２】
2020173092.tif 000004
【図３】
2020173092.tif 000005
【図４】
2020173092.tif 000006